(57)【要約】      （修正有）【課題】限られた高さの収容空間に多数積み上げて収容することができ、スタッキング効率を向上させることができる家具を提供する。【解決手段】脚体２と、この脚体２に支持される家具本体と、天板３１を有しその天板３１が略水平方向に沿って位置する使用状態及び前記天板３１が垂下する収納状態をとり得るメモ台３とを具備してなり、前記メモ台３を収納状態にして複数を略鉛直方向に沿って順次スタッキングさせ得る家具であって、前記メモ台３の天板３１が前記収納状態において前記脚体２の外方に垂下して位置するように構成されている。【選択図】図１
2010046496.tif 000002
【特許請求の範囲】
【請求項１】
脚体と、この脚体に支持される家具本体と、天板を有しその天板が略水平方向に沿って位置する使用状態及び前記天板が垂下する収納状態をとり得るメモ台とを具備してなり、前記メモ台を収納状態にして複数を略鉛直方向に沿って順次スタッキングさせ得る家具であって、
前記メモ台の天板が前記収納状態において前記脚体の外方に垂下して位置するように構成されていることを特徴とする家具。
【請求項２】
前記メモ台が、その天板を使用状態から略鉛直方向に沿った位置まで左右方向に回転させ、その位置から前後方向に回転させることにより収納状態に格納し得るように構成されている請求項１記載の家具。
【請求項３】
前記メモ台が、前記天板と、この天板を回転可能に支持する支持体とを具備してなり、前記支持体が、天板を略鉛直方向に沿った位置から前記収納状態に対応する位置まで前後方向に回転させるための第１の回転支持部と、天板を前記使用状態に対応する位置から略鉛直方向に沿った位置まで左右方向に回転させるための第２の回転支持部とを備えている請求項１又は２記載の家具。
【請求項４】
前記支持体が、前記天板を前記収納状態で脚体の外方に傾斜して垂下し得るように支持するものである請求項３記載の家具。
【請求項５】
前記メモ台が、前記脚体に取り付けられたものである請求項１、２、３又は４記載の家具。
【請求項６】
前記脚体が、下方に向かって漸次離間して位置する一対の脚要素と、これら脚要素の上端部側同士を略水平方向に沿って連結する水平部とを具備してなる請求項１、２、３、４又は５記載の家具。
【発明の詳細な説明】
【技術分野】
【０００１】
本発明は、収納時に良好にスタッキングし得る家具に関するものである。
【背景技術】
【０００２】
例えば、ホール等に多数配列させて使用される椅子等の家具において、収納効率を向上させるために、複数を順次スタッキング可能としたものが広く知られている。この種の椅子としては、例えば、座と、背もたれと、左右一対の前後脚とを具備してなり、左右の前脚間の幅を左右の後脚間の幅よりも小さくなるように設定して、座の上面及び背もたれの前面に、同一構造をなす他の椅子の座及び背もたれが重合するように斜め前上方より順次スタッキングし得るように構成したものが知られている。
【０００３】
ところで、従来の椅子の前後脚は、通常、横断面形状が略真円状のパイプや無垢の棒材等により構成されている。そして、スタッキング時、下方側に配置される椅子は、その前後脚の上面を、上方にスタッキングされる他方の椅子の前後脚の下面に衝き当てた状態で重合される。
【発明の概要】
【発明が解決しようとする課題】
【０００４】
従来のものは、前述したように前後脚を衝き当てた状態でスタッキングさせるので、スタッキング時、一方の椅子と他方の椅子の前後脚同士が当たって不快な音を立てたり、傷が付き易い等の不具合があった。特に、この種の椅子では、脚に付いた傷は目につきやすく、椅子全体の見栄えを損なう恐れがある。
【０００５】
また、この種のスタッキング可能な椅子では、限られた高さの収納空間内に積載できる椅子の台数を増加してスタッキング効率を向上させることが要望されている。特に、前述した椅子は、積み上げた時に漸次前方にずれていくように積載される構造であるので、椅子自体を傾けて専用の台車に乗せ積み上げてスタッキングさせる必要があり、収納面積が大きくなるという不具合がある。
本発明は、以上説明した不具合のうち、限られた高さの収納空間内に積載できる家具の台数を増加させるのが難しいという課題を解消し、スタッキング効率を高めることができる家具を提供することを目的としている。
【課題を解決するための手段】
【０００６】
上記の問題点を解決するために、本発明は、脚体と、この脚体に支持される家具本体と、天板を有しその天板が略水平方向に沿って位置する使用状態及び前記天板が垂下する収納状態をとり得るメモ台とを具備してなり、前記メモ台を収納状態にして複数を略鉛直方向に沿って順次スタッキングさせ得る家具であって、前記メモ台の天板が前記収納状態において前記脚体の外方に垂下して位置するように構成したものである。
【０００７】
このような構成のものであると、メモ台の天板が脚体の外側に垂下する収納状態で複数の家具を鉛直方向にスタッキングさせることができるので、限られた高さの収納空間内に積載できる家具の台数を増加させることができ、スタッキング効率を高めることが可能となる。特に、メモ台の天板を垂下させた状態でスタッキングし得るようにしているので、メモ台がかさばって積み上げ台数が減少するという不具合の発生を抑制することができる。
【０００８】
具体的な態様としては、前記メモ台が、その天板を使用状態から略鉛直方向に沿った位置まで左右方向に回転させ、その位置から前後方向に回転させることにより収納状態に格納し得るように構成されているものを挙げることができる。
【０００９】
さらに具体的には、前記メモ台が、前記天板と、この天板を回転可能に支持する支持体とを具備してなり、前記支持体が、天板を略鉛直方向に沿った位置から前記収納状態に対応する位置まで前後方向に回転させるための第１の回転支持部と、天板を前記使用状態に対応する位置から略鉛直方向に沿った位置まで左右方向に回転させるための第２の回転支持部とを備えているものが考えられる。
【００１０】
また、前記支持体としては、前記天板を前記収納状態で脚体の外方に傾斜して垂下し得るように支持するものが好ましい。
【００１１】
さらに、前記メモ台としては、前記脚体に取り付けられたものが考えられる。
【００１２】
また、前記脚体としては、下方に向かって漸次離間して位置する一対の脚要素と、これら脚要素の上端部側同士を略水平方向に沿って連結する水平部とを具備してなるものが挙げられる。
【発明の効果】
【００１３】
本発明は、以上のような構成であるから、限られた高さの収容空間に多数積み上げて収容することができ、スタッキング効率を向上させることができる家具を提供することができるものである。
【図面の簡単な説明】
【００１４】
【図１】本発明の一実施の形態における椅子を示す斜視図。
【図２】同複数の椅子を積み重ねた状態を示す左側面図。
【図３】同要部を示す斜視図。
【図４】同メモ台を使用状態としている場合の正面図。
【図５】同メモ台を収納状態としている場合の正面図。
【図６】同複数の椅子を積み重ねた状態を示す正面図。
【図７】同図６に対応するＩ−Ｉ線端面図。
【図８】同複数の椅子を積み重ねた状態の要部を示す右側面図。
【図９】同図８に対応するＩＩ−ＩＩ線端面図。
【図１０】同図８に対応するＩＩＩ−ＩＩＩ線端面図。
【図１１】同脚体を示す斜視図。
【図１２】同脚体をスタッキングさせた状態を示す右側面図。
【図１３】同図１２に対応するＩＶ−IＶ線端面図。
【図１４】同図１２に対応するＶ−Ｖ線端面図。
【図１５】同図１２に対応するＶＩ−ＶＩ線端面図。
【発明を実施するための形態】
【００１５】
以下、本発明の一実施の形態について図面を参照して説明する。
【００１６】
この椅子Ａは、図１に示すように、座部１１と背もたれ部１２とを有する椅子本体１と、この椅子本体１の左右に対をなして位置する脚体２と、左右の脚体２の何れか一方側に取り付けてあるメモ台３と、左右の脚体２の他方側に取り付けてある肘掛け４とを具備してなるもので、図２に示すように、前記椅子本体１に、同一構造をなす他方の椅子Ｂ…の椅子本体１が重合するように略鉛直方向に沿って順次スタッキング可能となるように構成してある。
【００１７】
以下、この椅子Ａ、Ｂ…の具体的な構成について詳述する。
【００１８】
椅子本体１は、図１に示すように、座部１１と背もたれ部１２とを一体に形成した合成樹脂製のものである。座部１１の上面には、布製のカバーで被覆したクッション材１３が適宜の手段で取り付けてある。また、背もたれ部１２は、その上端部側を布製のカバー１４で被覆されているとともに、下端部側に正面視略矩形状の開口１５を有している。
【００１９】
脚体２は、図１に示すように、前記椅子本体１の座部１１の左右両端部にビス等の取付具を利用して取り付けてある。この脚体２は、前後方向中央に位置する中心線に対して前後方向に対称な形状を有しており、同一の形状を有するものを左右反転させて椅子本体１の左右に取り付け得るものである。また、この脚体２は、前後の脚要素２１と、これら前後の脚要素２１の上端部２１ａを連結する連結部２２と、前後の脚要素２１の下端部２１ｂ側にそれぞれ設けたキャップ２３とを具備してなり、本実施の形態では、これら前後の脚要素２１と、連結部２２と、キャップ２３とをそれぞれ別体としている。
【００２０】
メモ台３は、図３に示すように、平面視略矩形状の天板３１と、この天板３１を回転可能に支持する支持体３２とを具備してなり、天板３１が略水平方向に沿って位置する使用状態Ｐ（図４参照）と、天板３１が垂下する収納状態Ｑ（図５参照）とを取り得るものである。支持体３２は、前記天板３１を使用状態Ｐと収納状態Ｑの間で位置変更し得るように支持しているものであり、前記脚体２の連結部２２の外面にビス等の取付具を介して取り付けてなる取付部３２１と、この取付部３２１から前方に傾斜しながら起立させたアーム部３２２と、このアーム部３２２の上端部３２２ａ側に前後方向に回転可能に取り付けた第１の回転支持部３２３と、この第１の回転支持部３２３に対して左右方向に回転可能に取り付けた第２の回転支持部３２４と、この第２の回転支持部３２４に一体に設けてなり前記天板３１の裏面にビス等を介して取り付けた取付板３２５とを具備してなる。このメモ台３を前記使用状態Ｐから収納状態Ｑまで折り畳む場合には、先ず、前記天板３１を略水平方向に沿った位置から略鉛直方向に沿った位置まで第２の回転支持部３２４を利用して左右方向に回転させ、しかる後、第１の回転支持部３２３を利用して前後方向に回転させることにより、脚体２の外方に垂下して位置する収納状態Ｑに格納するようにしている。なお、スタッキング時には、前記メモ台３は、図２及び図６に示すように、収納状態Ｑで重合されるものである。また、スタッキング効率の向上を図るべく、前記支持体３２のアーム部３２２は、平板状で、その後端部３２２ａ側が前端部３２２ｂ側よりも外方に位置するように傾斜させてあり、スタッキング時には、図７に示すように、下側の椅子Ａのアーム部３２２の内方に上側の椅子Ｂのアーム部３２２が位置した状態で重合し得るようにしている。
【００２１】
肘掛け４は、図１及び図８に示すように、側面視略台形の環状をなすものである。なお、図８は、略鉛直方向に沿って２つの椅子Ａ、Ｂをスタッキングさせた状態を示す図である。この肘掛け４は、前後方向中央に位置する中心線に対して前後方向に対称な形状を有しており、同一の形状を有するものを左右反転させて椅子本体１の左右に取り付け得るものである。また、この肘掛け４は、具体的には、略水平方向に沿って位置する水平部４１と、この水平部４１の前後両端部４１ａ、４１ｂから下方に向って漸次近接する一対の垂下部４２と、前記垂下部４２の下端部４２ａ同士を連結する位置にある取付部４３とを具備してなる。水平部４１は、図９に示すように、その上面４１ｃを着座者の肘を載せ得るような水平面としているもので、スタッキング時に下側の椅子Ａの垂下部４２の内方に上側の椅子Ｂの垂下部４２が進入し得るよう前記垂下部４２及び取付部４３よりも外方に変位した位置にある。また、垂下部４２は、図１０に示すように、平板状で、前後の垂下部４２の横断面形状が、内方に向かって漸次離間距離が大きくなる平面視略ハ字形状をなすように位置している。そして、スタッキング時には、図８〜図１０に示すように、下側の椅子Ａの水平部４１の上方に上側の椅子Ｂの水平部４１が、下側の椅子Ａの垂下部４２の内方に上側の椅子Ｂの垂下部４２が位置した状態で、複数の椅子Ａ、Ｂを略鉛直方向に沿って重合し得るようにしている。
【００２２】
このような構成のものにおいて、本実施の形態では、スタッキング時に、上下に重合する椅子Ａ、Ｂの前後の脚要素２１の対向する面たる上向き面２１ｃと下向き面２１ｄとを離間させた状態で、下側の椅子Ａの連結部２２及び脚要素２１の上向き面２２１ｂ、２１ｃを上側の椅子Ｂの対向する面たる下向き面２２１ａ、２３１ａに衝き当てて重合させるようにし、安定支持を図るとともにスタッキング作業時に生じる騒音や脚要素２１の損傷等を防止するようにしている。さらに、前記前後の脚要素２１、連結部２２及びキャップ２３は、それぞれ下向き面２１ｄ、２２１ａ、２３１ａ側に凹状の接触回避部２１１、２２３、２３２を有しており、スタッキング時に、上側の椅子Ｂの接触回避部２１１、２２３、２３２に下側の椅子Ａの上向き面２１ｃ、２２１ｂ、２１ｃ側を挿入してスタッキング効率を向上するようにしている。なお、ここでいうところの下向き面２１ｄ、２２１ａ、２３１ａとは、使用位置で床面に対向する内方側の面を指すものである。
【００２３】
以下、脚体２を構成する前後の脚要素２１、連結部２２及びキャップ２３について具体的に詳述する。
【００２４】
前後の脚要素２１は、図１１、図１２及び図１４に示すように、アルミ押出により成形されており、それぞれ同様の構成を有するものである。なお、図１１及び図１２は、脚体２のみを示し、肘掛け４や椅子本体１等を省略した図となっている。これら前後の脚要素２１は、下方に向って漸次その離間距離が互いに大きくなるように、すなわち側面視において略ハ字形状をなすように配置されている。そして、前記前後の脚要素２１は、その下向き面２１ｄ側に延出方向に沿って延びる接触回避部２１１を有している。この接触回避部２１１は、前記脚要素２１の横断面形状が凹状となるように設けてある。しかして、スタッキング時には、図１４に示すように、上下に重合する脚要素２１の対向する下向き面２１ｄと上向き面２１ｃとが離間した状態で、上側の椅子Ｂの脚要素２１の前記接触回避部２１１に、下側の椅子Ａの脚要素２１の対向する上向き面２１ｃ側が挿入される。
【００２５】
連結部２２は、図１１〜図１３に示すように、前述した前後の脚要素２１と同様に、アルミ押出により成形されているものである。なお、図１１〜図１３は、脚体２のみを示し、肘掛け４や椅子本体１等を省略した図となっている。具体的には、この連結部２２は、略水平状態で位置する側面視略台形状の水平部２２１と、前記水平部２２１の前後端２２１ｃ、２２１ｄから前記前後の脚要素２１と略沿った方向に垂下した前後垂下部２２２とを具備してなるものであり、前記前後垂下部２２２に適宜の手段で前記前後の脚要素２１を取り付けることにより前記脚体２を構成している。水平部２２１は、その下向き面２２１ａ側に延出方向に沿って延びる凹状の接触回避部２２３を有しており、スタッキング時には、上下に重合する水平部２２１の対向する下向き面２２１ａと上向き面２２１ｂの少なくとも一部を衝き当てた状態で、上側の椅子Ｂの水平部２２１の前記接触回避部２２３に、下側の椅子Ａの水平部２２１の対向する上向き面２２１ｂ側を挿入する。なお、水平部２２１に設けた前記接触回避部２２３は、水平部２２１の上下寸法が内方に向って漸次小さくなるように傾斜させたテーパ状をなすものである。
【００２６】
キャップ２３は、合成樹脂製のもので、前記前後の脚要素２１の下端部２１ｂに取り付けてある。キャップ２３は、下向き面２３ａ側に前記脚要素２１の下向き面２１ｄよりも肉厚方向に突出した突出部２３１と、この突出部２３１の下向き面２３１ａ側に設けた延出方向に沿って延びる接触回避部２３２とを具備している。この接触回避部２３２は、前記突出部２３１の横断面形状が凹状となるように設けてあり、スタッキング時には、上側の椅子Ｂのキャップ２３の突出部２３１の下向き面２３１ａの少なくとも一部を下側の椅子Ａの脚要素２１の上向き面２１ｃに衝き当てた状態で、上側の椅子Ｂのキャップ２３の前記接触回避部２３２に、下側の椅子Ａの脚要素２１の対向する上向き面２１ｃ側を挿入するようにしている。なお、このキャップ２３は、その上向き面２３ｂが前記脚要素２１の上向き面２１ｃと略沿った状態となるように取り付けられている。
【００２７】
次に、このような構成の椅子Ａ、Ｂを略鉛直方向にスタッキングさせる場合の手順について説明する。床面上に一方の椅子Ａを載置しておき、その上方から他方の椅子Ｂを積み重ねていく。具体的には、一方の椅子Ａの座部１１の上面及び背もたれ部１２の前面に、同一構造をなす他方の椅子Ａの座部１１及び背もたれ部１２が重合するように上方から順次積み重ねていく。この時、図１３に示すように、積み重ねられた上下の椅子Ａ、Ｂの連結部２２の水平部２２１同士が衝き当たるとともに、図１５に示すように、上側の椅子Ｂのキャップ２３の下向き面２３１ａが下側の椅子Ａの脚要素２１の上向き面２１ｃに衝き当たって、上側の椅子Ｂが下側の椅子Ａに支持される。一方、この時、図１４に示すように、脚要素２１の対向する上向き面２１ｃと下向き面２１ｄは離間している。また、スタッキング時には、図１３に示すように、上側の椅子Ｂの水平部２２１のテーパー状となっている下向き面２２１ａが、下側の椅子Ａの水平部２２１の上向き面２２１ｂの外方に位置して上下の椅子Ａ、Ｂ同士の左右方向への移動を禁止している。
【００２８】
このような構成のものであると、スタッキング時に脚要素２１同士が当たり合うことがないので、衝撃音や傷等が生じることを有効に防止することが可能である。特に、この種の椅子Ａ、Ｂでは、使用時に、前記脚要素２１全体が外部から露見することになるため、前述したように脚要素２１に傷がつくことを防止することは椅子全体の外観を良好に保つ上で非常に有効である。一方、前記脚要素２１同士は離間した状態であるものの、上側の椅子Ｂ側の水平部２２１及びキャップ２３の突出部２３１が下側の椅子Ａの対向する上向き面２２１ｂ、２１ｃにそれぞれ衝き当たった状態で重合されることとなる。したがって、スタッキング時の安定支持も図られ、積み重ね状態が崩壊することを有効に防止することが可能となる。また、このように対をなして位置する脚要素２１が下方に向かって漸次離間するように配置されている場合には、略鉛直方向に沿ってスタッキングさせることができるため、スタッキング時に水平面内において前記椅子Ａ、Ｂが占める収納面積を小さくすることができる。
【００２９】
脚要素２１が、スタッキング時に他方の椅子の脚要素２１と対向する下向き面２１ｄ側に延出方向に沿って延びる接触回避部２１１を有しており、スタッキング時に、上下の椅子Ａ、Ｂの脚要素２１の対向する下向き面２１ｄと上向き面２１ｃとを離間させた状態で、上側の椅子Ａの前記接触回避部２１１に、下側の椅子Ｂの対向する上向き面２１ｃ側を挿入しているので、脚要素２１の横断面形状を工夫して接触回避部２１１を設けることにより、スタッキング効率を向上させて限られた収納スペースの中でより多くの台数を積み重ねることが可能となる。すなわち、スタッキング時に上下の椅子Ａ、Ｂの脚要素２１同士が挿入し合って重合状態となるので、椅子Ａ、Ｂ同士の離間ピッチが小さくなり、スタッキング効率を向上させることが可能となる。
【００３０】
接触回避部２１１が、脚要素２１の下向き面２１ｄ側に設けてあるので、当該接触回避部２１１が外部から隠蔽されることとなり、椅子全体の外観を損なわずに前述した作用を営むことが可能となる。
【００３１】
連結部２２の水平部２２１が、スタッキング時に他方の椅子の水平部２２１と対向する下向き面２２１ａ側に延出方向に沿って延びる接触回避部２２３を有しており、スタッキング時に、上下の椅子Ａ、Ｂの水平部２２１の対向する下向き面２２１ａと上向き面２２１ｂの少なくとも一部を衝き当てた状態で、上側の椅子Ｂの前記接触回避部２２３に、下側の椅子Ａの対向する上向き面２２１ｂ側を挿入しているので、水平部２２１の横断面形状を工夫して接触回避部２２３を設けることにより、スタッキング効率を向上させて限られた収納スペースの中でより多くの台数を積み重ねることが可能となる。
【００３２】
水平部２２１に設けた前記接触回避部２２３が、水平部２２１の下向き面２２１ａ側に設けてあるので、当該接触回避部２２３が外部から隠蔽されることとなり、椅子Ａ、Ｂの外観を損なわずに前述した作用を営むことが可能となる。
【００３３】
キャップ２３の突出部２３１が、スタッキング時に他方の椅子の脚要素２１と対向する下向き面２３１ａ側に延出方向に沿って延びる接触回避部２３２を有しており、スタッキング時に、上側の椅子Ｂの突出部２３１の下向き面２３１ａを下側の椅子Ａの対向する脚要素２１の上向き面２１ｃに衝き当てた状態で、上側の椅子Ｂの前記接触回避部２３２に、下側の椅子Ａの対向する脚要素２１の上向き面２１ｃ側を挿入するようにしているので、スタッキング効率を向上させて限られた収納スペースの中でより多くの台数を積み重ねることが可能となる。
【００３４】
キャップ２３の突出部２３１に設けた前記接触回避部２３２が、突出部２３１の下向き面２３１ａ側に設けてあるので、当該接触回避部２３２が外部から隠蔽されることとなり、椅子の外観を損なわずに前述した作用を営むことが可能となる。
【００３５】
突出部２３１が、前記脚要素２１の下端部２１ｂに取り付けた別体のキャップ２３に設けてあるので、脚要素２１自体に突出部２３１を設ける場合に比べて、加工の容易性が図られる上、スタッキング時に衝き当てることにより突出部２３１が摩耗した場合の交換等も行い易いものである。
【００３６】
なお、本発明における構成は、以上説明したものに限定されないのは勿論である。例えば、前後の脚要素の横断面形状は、上述した形状に限定されず、略Ｖ字形等であってもよい。また、上述したものでは、前後の脚要素と連結部が別体であったが、それに限定されず、これらが一体に形成されているものであってもよい。また、その他の構成も本発明の趣旨を逸脱しない範囲で種々変形が可能である。
【００３７】
総括すれば、以上説明した家具においては、以下に記載されるような効果を奏する。
【００３８】
すなわち、この家具は、複数を略鉛直方向に沿って順次スタッキングさせ得る家具の脚体が、下方に向かって漸次離間して位置する一対の脚要素と、これら脚要素の上端部側同士を略水平方向に沿って連結する水平部と、前記脚要素の下端部側から肉厚方向に突出してなる突出部とを具備してなり、スタッキング時に、一方の家具と他方の家具の脚要素の対向する面同士を離間させた状態で、一方の家具の水平部及び突出部を他方の家具の対向する面に衝き当てて重合させるものであるので、スタッキング時の安定支持を図るとともに、スタッキング作業時に脚要素同士が当たり合うことにより生じる衝撃音や傷等を有効に防止することが可能である。
【００３９】
脚要素が、スタッキング時に他方の家具の脚要素と対向する面側に延出方向に沿って延びる凹状の接触回避部を有しており、前記スタッキング時に、一方の家具と他方の家具の脚要素の対向する面同士を離間させた状態で、一方の家具の前記接触回避部に、他方の家具の対向する面側を挿入するならば、脚要素の横断面形状を工夫して接触回避部を設けることにより、スタッキング効率を向上させて限られた収納スペースの中でより多くの台数を積み重ねることが可能となる。すなわち、スタッキング時に隣接する家具の脚要素同士が嵌合し合って重合状態となるので、家具同士の離間ピッチが小さくなり、スタッキング効率を向上させることが可能となる。
【００４０】
接触回避部が、脚要素の下向き面側に設けてあるならば、当該接触回避部が外部から隠蔽されることとなり、家具の外観を損なわずに前述した作用を営むことが可能となる。
【００４１】
水平部が、スタッキング時に他方の家具の水平部と対向する面側に延出方向に沿って延びる凹状の接触回避部を有しており、前記スタッキング時に、一方の家具と他方の家具の水平部の対向する面同士の少なくとも一部を衝き当てた状態で、一方の家具の前記接触回避部に、他方の家具の対向する面側を挿入するならば、水平部の横断面形状を工夫して接触回避部を設けることにより、スタッキング効率を向上させて限られた収納スペースの中でより多くの台数を積み重ねることが可能となる。
【００４２】
水平部に設けた前記接触回避部が、水平部の下向き面側に設けてあるならば、当該接触回避部が外部から隠蔽されることとなり、家具の外観を損なわずに前述した作用を営むことが可能となる。
【００４３】
突出部が、スタッキング時に他方の家具の脚要素と対向する面側に延出方向に沿って延びる凹状の接触回避部を有しており、前記スタッキング時に、一方の家具の突出部の少なくとも一部を他方の家具の対向する面に衝き当てた状態で、一方の家具の前記接触回避部に、他方の家具の対向する面側を挿入するならば、スタッキング効率を向上させて限られた収納スペースの中でより多くの台数を積み重ねることが可能となる。
【００４４】
突出部に設けた前記接触回避部が、突出部の下向き面側に設けてあるならば、当該接触回避部が外部から隠蔽されることとなり、家具の外観を損なわずに前述した作用を営むことが可能となる。
【００４５】
突出部が、前記脚要素の下端部に取り付けた別体のキャップに設けてあるならば、脚要素自体に突出部を設ける場合に比べて、加工の容易性が図られる上、スタッキング時に衝き当てることにより突出部が摩耗した場合の交換等も行い易いものである。
【符号の説明】
【００４６】
Ａ、Ｂ…家具（椅子）
１…家具本体（椅子本体）
２…脚体
２１…脚要素
２２１…水平部
３…メモ台
Ｐ…使用状態
Ｑ…収納状態
３１…天板
３２…支持体
３２３…第１の回転支持部
３２４…第２の回転支持部
【図１】
2010046496.tif 000003
【図２】
2010046496.tif 000004
【図３】
2010046496.tif 000005
【図４】
2010046496.tif 000006
【図５】
2010046496.tif 000007
【図６】
2010046496.tif 000008
【図７】
2010046496.tif 000009
【図８】
2010046496.tif 000010
【図９】
2010046496.tif 000011
【図１０】
2010046496.tif 000012
【図１１】
2010046496.tif 000013
【図１２】
2010046496.tif 000014
【図１３】
2010046496.tif 000015
【図１４】
2010046496.tif 000016
【図１５】
2010046496.tif 000017